(57)【要約】【課題】面材が荷重に対して伸縮可能であると共に面材の保形性と復元性を良好に維持することができる。【解決手段】椅子は、幅方向に所定間隔を開けて対向して配設され幅方向に略直交する長手方向に延びる一対の側枠杆１３と、一対の側枠杆１３の間に架設されて幅方向に伸縮性を有していて、幅方向に延びる上縁部が上枠杆に係合されない遊端部を有する面材１１とを有する。面材１１は、第一係合凹部に係合する左右の側縁部に縁部補強材２５を縫着した。面材１１は、上縁部の左右両端部に側枠杆１３の突部１３ａに被せる袋状部２７を形成する。袋状部２７は、上縁部の表裏面に縁部材２３の基部２３ａと復元性付与部材２４をそれぞれ縫着して２度折りして形成する。復元性付与部材は面材１１よりも伸縮性が大きく、伸張した面材１１に復元力を持たせた。【選択図】図９
2020069338.tif 000002
【特許請求の範囲】
【請求項１】
第一方向に所定間隔を開けて対向して配設されていて前記第一方向に交差する第二方向に延びる一対の杆材と、
前記一対の杆材の間に架設されて前記第一方向に伸縮性を有しており、前記第一方向に延びる縁部の少なくとも一部が他の部材に係合されない遊端部とされた面材と、
前記遊端部に取り付けられていて前記第一方向に沿って弾性的に初期位置へ復帰する復元性が前記面材より大きい復元性付与部材と、
を備えたことを特徴とする荷重支持部材。
【請求項２】
前記復元性付与部材は前記面材の遊端部に縫着されている請求項１に記載された荷重支持部材。
【請求項３】
前記復元性付与部材は前記遊端部における前記第一方向の両端部に至るまで延在しており、前記遊端部及び復元性付与部材はその両端部が前記杆材に支持されている請求項１または２に記載された荷重支持部材。
【請求項４】
前記杆材には前記第二方向の端部に前記面材の縁部または遊端部が係合する係合凹部が設けられ、前記面材の前記係合凹部に係合する領域には前記面材を杆材に係合する縁部材が取り付けられている請求項１から３のいずれか１項に記載された荷重支持部材。
【請求項５】
前記面材の縁部における一方の面に前記復元性付与部材が取り付けられ、他方の面に前記縁部材が取り付けられた請求項４に記載された荷重支持部材。
【請求項６】
前記復元性付与部材は、前記面材の前記縁部に同一の面材または別の伸縮性部材を重ねて形成される袋状部の内部に配設されている請求項１から５のいずれか１項に記載された荷重支持部材。
【請求項７】
請求項１から６のいずれか１項に記載された前記荷重支持部材を備えたことを特徴とする椅子。
【発明の詳細な説明】
【技術分野】
【０００１】
本発明は、例えば椅子の背もたれ等の面材にかかる荷重を受ける荷重支持部材及びこの荷重支持部材を備えた椅子に関する。
【背景技術】
【０００２】
従来、椅子の背もたれ等に架設されたシート状の面材に荷重を受ける荷重支持部材を設けた椅子として、例えば下記特許文献１に開示されたものが知られている。
特許文献1に記載された椅子では、背フレームの外側面に形成された取付溝に面材である背張地の周縁部が係合されることによって、背張地が背フレームに支持されて背受面が形成される。背フレームの杆材同士を上端部で連結する上横梁は、背張地の上縁部から椅子の奥行方向後ろ側に離間して略円弧状に湾曲している。換言すれば、背張地の上縁部は背フレームの上横梁から離間した自由端部、即ち遊端部となっている。
【０００３】
このような構成は、着座者が椅子の座に着座して可撓性のある背受面に荷重をあずけた際に、背フレームの硬さを感じさせないことを意図したものであり、着座感向上の面で優れた効果を奏する。
さらに、この椅子では、背張地の上縁部に、透明な樹脂製シート材からなる芯材を包んで配設しているので、この上縁部へ荷重をあずける行動が繰り返された場合においても背張地の保形性を確保でき、元の形状を維持できる。
【先行技術文献】
【特許文献】
【０００４】
【特許文献１】特開２０１１−４５５７４号公報
【発明の概要】
【発明が解決しようとする課題】
【０００５】
しかしながら、特許文献１において、背張地に設けた芯材は樹脂製シート材からなるので、着座時の荷重によって厚さ方向に曲がることは可能であるが、伸縮性がない。そのため、背もたれの背張地の保形性には優れるものの、背張地と重合することにより増大した上縁部の厚さによって着座感が硬くなるという問題があった。
【０００６】
本願発明は、このような課題に鑑みてなされたもので、面材が荷重に対して伸縮可能であると共に面材の保形性と復元性を良好に維持することができる荷重支持部材とこれを備えた椅子を提供することを目的とする。
【課題を解決するための手段】
【０００７】
本発明による荷重支持部材は、第一方向に所定間隔を開けて対向して配設されていて第一方向に交差する第二方向に延びる一対の杆材と、一対の杆材の間に架設されて第一方向に伸縮性を有しており、第一方向に延びる縁部の少なくとも一部が他の部材に係合されない遊端部とされた面材と、遊端部に取り付けられていて第一方向に沿って弾性的に初期位置へ復帰する復元性が面材より大きい復元性付与部材と、を備えたことを特徴とする。
本発明によれば、荷重が面材に付与された際、面材及び復元性付与部材は共に第一方向へ伸張するため荷重に対する抵抗は抑制される。そして、荷重が除去されると面材の第一方向の収縮力は復元性付与部材の収縮力によって補強されるため、荷重の付与と除去が繰り返された場合でも面材の復元性と保形性が維持され、面材の耐久性が向上する。
【０００８】
また、復元性付与部材は面材の遊端部に縫着されていることが好ましい。
復元性付与部材は面材に縫着されるので、例えば編物の編み目または織物の織り目を介して糸を挿入して係止することができ、復元性付与部材の伸縮性が阻害されない。
【０００９】
また、復元性付与部材は遊端部における第一方向の両端部に至るまで延在しており、遊端部及び復元性付与部材はその両端部が杆材に支持されていることが好ましい。
復元性付与部材は面材と共に杆材に支持されるので、面材の遊端部が極端に伸長して撓み等が残ることを復元性付与部材によって防止でき、着座感と保形性等が良好である。
【００１０】
また、杆材には第二方向の端部に面材の縁部または遊端部が係合する係合凹部が設けられ、面材の係合凹部に係合する領域には面材を杆材に係合する縁部材が取り付けられていることが好ましい。
杆材の第二方向端部に形成された係合凹部には、面材及び復元性付与部材と共に縁部材が係合されているので、係合凹部に係合する部材の厚さを増大できる。しかも、縁部材を備えているため、杆材による面材の支持がより堅牢になる。
【００１１】
また、面材の縁部における一方の面に復元性付与部材が取り付けられ、他方の面に縁部材が取り付けられていることが好ましい。
面材の縁部の両面に復元性付与部材と縁部材が取り付けられているため、面材の杆材への取り付けと面材の伸縮性の補強を簡単な構成で行うことができる。
【００１２】
また、復元性付与部材は、面材の縁部に同一の面材または別の伸縮性部材を重ねて形成される袋状部の内部に配設されていてもよい。
復元性付与部材は面材の縁部を折り曲げたり、別の伸縮性部材を重ねる等して形成される袋状部に配設されるので、面材の着座面方向から視認されにくく外観の体裁に優れている。
【００１３】
本発明による椅子は、上述したいずれかに記載された荷重支持部材を備えたことを特徴とする。
本発明によれば、椅子の背もたれに荷重支持部材を設けたため、着座者が着座と離脱を繰り返したとしても杆材間に架設される面材が変位することを抑制し、杆材に支持されていない面材の遊端部の保形性を維持しつつ着座荷重に対する伸縮性を補強し、面材の着座感と復元性及び保形性を良好にできる。
【発明の効果】
【００１４】
本発明に係る荷重支持部材及び椅子によれば、面材の遊端部に面材よりも第一方向への伸縮性が大きい復元性付与部材を取り付けたので、荷重が繰り返し付与及び離脱した場合でも面材及び復元性付与部材は共に第一方向へ伸縮するため抵抗が抑止される。しかも、面材の遊端部は復元性付与部材によって伸縮性を補強されているので面材の復元性と保形性を良好に維持できる。
【図面の簡単な説明】
【００１５】
【図１】本発明の実施形態による椅子の斜視図である。
【図２】図1に示す椅子の背もたれの図である。
【図３】図１に示す椅子の背フレームの図である。
【図４】背もたれの側枠杆に形成した第一係合凹部及び第二係合凹部を示す要部斜視図である。
【図５】第一実施形態による椅子において、側枠杆に面材を装着した状態の部分拡大図である。
【図６】面材の上縁部を示す図であり、（ａ）は表面の両端部に縁部材を縫着した図、（ｂ）は裏面の上縁部に復元性付与部材を縫着した図、（ｃ）は上縁部の裏面側に袋状部を形成した状態の図、（ｄ）は同図（ｃ）における袋状部及び縁部材の拡大図である。
【図７】縁部材を示すもので、（ａ）は正面図、（ｂ）は側面図である。
【図８】は図６（ｃ）における面材の袋状部のＡ−Ａ線断面図である。
【図９】側枠杆の第二係合凹部と縁部材の位置関係を示す説明図であり、（ａ）は分解斜視図、（ｂ）は縦断面図である。
【図１０】側枠杆の第二係合凹部に面材を装着した状態の裏面側から見た要部斜視図である。
【図１１】側枠杆の第二係合凹部に面材の袋状部と側縁部を装着した状態を示す図５のＢ-Ｂ線縦断面図である。
【図１２】側枠杆の第二係合凹部に面材の袋状部を装着した状態を示す図１１のＣ−Ｃ線断面図である。
【図１３】第二実施形態による椅子における縁部材の斜視図である。
【図１４】面材の上縁部に形成した袋状部と縁部材を示す要部斜視図である。
【図１５】図１４における袋状部のＤ−Ｄ線断面図である。
【図１６】側枠杆の第二係合凹部と縁部材の位置関係を示す説明図であり、（ａ）は分解斜視図、（ｂ）は縦断面図である。
【図１７】押さえ部材を示す斜視図であり、（ａ）は前方から見た図、（ｂ）は後方から見た図である。
【図１８】側枠杆の第二係合凹部に装着した面材と押さえ部材を示す要部斜視図である。
【発明を実施するための形態】
【００１６】
以下、本発明の実施形態による椅子を添付図面に基づいて説明する。
なお、以下の各実施形態の説明において、前面、裏面（背面）、左側、右側(側縁)、上下の各方向は、特別に断らない限り椅子に着座した着座者から見た方向を示すものとする。
図１乃至図４により、第一の実施形態による椅子１の概略構成について説明する。椅子１は、フロア等の載置面上に載置される脚部２と、脚部２の上縁部に設置される支基３と、支基３の上部に取り付けられて着座者の臀部及び腿部を支持する座４と、支基３に取り付けられて座４の後部側で着座者の背部を支持する背もたれ５とを備えている。
【００１７】
脚部２は、下端にキャスタ２ａを有する多肢脚２ｂと、多肢脚２ｂの中央部より起立する脚柱２ｃとを備えている。支基３は椅子１における支持構造体の主要部を構成している。座４は、支基３に支持された支持枠部の上面および外周面を覆うように取付けられた例えばメッシュシート状の面材８を備えている。背もたれ５の両側部に取り付けられた肘掛け６は、背もたれ５を介して支基３に支持されており、着座者の肘部が載置される。
【００１８】
次に、椅子１の背もたれ５について、添付図面を参照して説明する。
背もたれ５は、図２及び図３に示すように、略四角形枠状に形成された例えば硬質合成樹脂よりなる背フレーム１０と、この背フレーム１０の表面、すなわち前面に張設した例えばメッシュシート状の面材１１とを備えている。
背もたれ５の背フレーム１０は、左右両側に間隔を開けて対向して配設された一対の側枠杆１３と、側枠杆１３の上端同士を連結する上枠杆１４と、側枠杆１３の下端同士を連結する下枠杆１５とで形成されている。側枠杆１３は上枠杆１４及び下枠杆１５に交差する方向、例えば略直交する方向に延びている。
【００１９】
上枠杆１４は両側の側枠杆１３との接続部から後方に後退すると共に中間部が略円弧状に湾曲形成されており、全体に面材１１及び側枠杆１３の後ろ側に配設されている。下枠杆１５は略直線状または略円弧状に形成されており、下枠杆１５には、背フレーム１０を支基３に連結するための連結片１６が一体形成されている。連結片１６は、下枠杆１５の両側部から前方に延びる一対の前向き杆１６ａとその接続部１６ｂとで連結されている。接続部１６ｂは図示しない連結部材を介して背フレーム１０を支基３に連結するための部材である。
左右に配設された側枠杆１３は、その長手方向において下枠杆１５に連結される下端部の近傍が上下端部より前方に突出する略くの字状に形成されているが、この部分はなくてもよい。各側枠杆１３には、図４に示すように、その外周側縁部に断面略Ｕ字状の第一係合凹部１８が長手方向に沿って形成されており、更に下枠杆１５にも連続して形成されている。
【００２０】
図４、図５及び図９に示すように、各側枠杆１３の上端部における上枠杆１４との接続部には前面から後方に向けた開口１９ａが形成され、この開口１９ａの内奥部から側枠杆１３の下方に向けて第二係合凹部１９が溝部状に形成されている。第二係合凹部１９は側枠杆１３の外周側と内周側を連通している。しかも、第一係合凹部１８と第二係合凹部１９とは側枠杆１３の上端の外側縁で連通して形成されている。第二係合凹部１９の底部の内側には後述する受け座２１ａに連通する切欠１９ｂが形成されている。
また、図５及び図９に示す各側枠杆１３の上端前面には第二係合凹部１９の前面側に拡幅された突部１３ａが形成され、突部１３ａの下方では前面側の厚みが背面側より幅が狭くなるように段差部２１が形成されている。この段差部２１は第二係合凹部１９とその底部の切欠１９ｂを介して連通している。しかも、段差部２１の上部には、後述する縁部材２３の舌片部２３ｂが着座するための受け座２１ａが形成されている。受け座２１ａには長手方向中途部に傾斜面部が形成され、その下方に縁部材２３をネジ止めするためのネジ穴２２が形成されている。そのため、側枠杆１３はその前面側において上端部に開口１９ａを形成する突部１３ａが形成され、突部１３ａ及びその下側では外側に肉厚部が形成され、内側に段差部２１を有する肉薄部が形成されている。
【００２１】
次に、背フレーム１０に周縁部が係合されて張架される面材１１について図６から図８により説明する。
面材１１は、図２に示すように、例えば略四角形のメッシュシート状に形成されており、その材質は例えばポリエステル系の撚糸からなる織物等または編み物等である。面材１１は側枠杆１３間の幅方向(第一方向という)と側枠杆１３の長手方向(第二方向という)に伸縮可能である。面材１１は左右側縁部及び下縁部からなる３辺の縁部を、背もたれ５の背フレーム１０における左右の側枠杆１３と下枠杆１５とにそれぞれ形成された第一係合凹部１８に係合することで張架されるものである。面材１１の上縁部は後述する左右の袋状部２７の間の領域が背フレーム１０に係合されない遊端部１１Ｂ、即ち自由端部として保持される。
【００２２】
面材１１は次のように形成される。即ち、図６（ａ）において、展開状態の面材１１の上縁部の左右両端の角部は略四角形状に切り欠かれた切欠部１１ａが形成されている。面材１１の前面には左右の切欠部１１ａの間に縁部材２３が例えば縫製(縫着)、或いは溶着や接着等によって固定される。
縁部材２３は例えば硬質合成樹脂等からなる板状であり、図７に示すように、面材１１に縫製される基部２３ａと基部２３ａの一端部からテーパ部を介して下方に延びる舌片部２３ｂとを有しており、略Ｌ字状に形成されている。舌片部２３ｂにはネジ挿通用の挿通穴２３ｃが形成されている。舌片部２３ｂはその長手方向中途部で屈曲する傾斜部を有しており、この傾斜部が受け座２１ａの傾斜面部に当接することで、縁部材２３の上方への位置ずれを阻止する。
しかも、一対の縁部材２３は左右で線対称に形成されている。
【００２３】
また、図６（ｂ）において、面材１１の上縁部の裏面(背面)には左右の切欠部１１ａの間に帯状の復元性付与部材２４が縫製等によって固定されている。復元性付与部材２４の幅は切欠部１１ａの幅に略等しい。そして、面材１１の前面を復元性付与部材２４の幅に亘って裏面側に１回折り曲げ、更にもう１回同一方向に折り曲げることで図６（ｃ）及び図８に示す折り曲げ部１１ｂを有する折り曲げ状態になる。縁部材２３の基部２３ａと復元性付与部材２４が折り曲げ部１１ｂに包まれて舌片部２３ｂが折り曲げ部１１ｂの下方に露出している。
この状態で、面材１１の左右側縁部及び下縁部の裏面に帯状の縁部補強材２５を縫製や溶着等で固定する。面材１１の左右側縁部及び下縁部は縁部補強材２５で補強され、上縁の折り曲げ部１１ｂは復元性付与部材２４と面材１１の２回の折り曲げによって補強されている。
【００２４】
しかも、復元性付与部材２４はその長手方向に伸縮可能であり、面材１１よりも同一方向の伸縮性が大きい特性を有するクッション材（表皮材、パッド材、芯材）である。その材質として例えばポリエステル系エラストマー等の単糸からなる弾性糸（例えば「ダイヤフローラ」(登録商標)）を用いるものとし、弾性糸をループ状に湾曲させて互いに編み込んだ帯状の織物からなる伸縮性布帛とする。弾性糸は伸縮可能であり、編み組織／織り組織の一部となることによって、伸縮の方向性や程度が適正範囲に制限されている。或いは、復元性付与部材２４はポリエステル系でメッシュ層からなる布帛にポリエステル系エラストマー等の上記弾性糸を織り込んだ編み物または織物の伸縮性布帛を用いてもよい。
この帯状の復元性付与部材２４は面材１１の復元性をより大きくするためのもので、面材１１の上縁部に縫着されている。背もたれ５に着座者が繰り返して着座して面材１１が幅方向に伸縮すると復元性付与部材２４も一体に同一方向に伸縮し、面材１１の復元性を復元性付与部材２４によって補強して耐久性を向上させる。復元性付与部材２４は、面材１１の伸縮性を阻害したり相殺したりすることはなく、荷重を受けて伸張した面材１１の収縮性、復帰力を補強するという特性を有している。
【００２５】
復元性付与部材２４は縫着によってメッシュ状の面材１１に連結されるが、この縫製はミシン等により上糸と下糸を組み合わせて行われるため、両者の間に空間が形成される。これによって、縫製によってもメッシュ状の面材１１より大きい復元性付与部材２４の伸縮性が阻害されないようになっている。
縁部補強材２５は合成樹脂製で帯状のメッシュシートであり、例えば樹脂板からなる材質を用いる。縁部補強材２５は伸縮性がないか面材１１より小さくてよく、面材１１の左右側縁部と下縁部を第一係合凹部１８内に挿入して係合する際、縁部補強材２５によって左右側縁部と下縁部が高強度になるため補強効果が高く、第一係合凹部１８から外れることを防止できる。
【００２６】
そして、図６（ｃ）及び（ｄ）に示すように、面材１１の折り曲げ部１１ｂの左右両端部で、縁部材２３の基部２３ａの両側端部を縫い付け部２７ａ、２７ｂで縫い付けることで下方に開口を有する袋状部２７が形成される。この袋状部２７は面材１１を背もたれ５に装着する際、図１０及び図１１に示すように、側枠杆１３の上端部の突部１３ａに被せて係止させられる。
面材１１の袋状部２７を突部１３ａに係止させた際、図５及び図９に示すように、縁部材２３の舌片部２３ｂは第二係合凹部１９の切欠１９ｂを通して下方に突出する。この舌片部２３ｂは段差部２１の受け座２１ａに着座し、ネジ穴２２に挿通穴２３ｃが一致する。そのため、舌片部２３ｂの挿通穴２３ｃを通してネジ穴２２に締結具としてボルト２８を螺合し、面材１１の上縁部を側枠杆１３に固定できる。
【００２７】
なお、図９では、縁部材２３が単独で第二係合凹部１９に挿入されるように描かれているが、実際には面材１１の袋状部２７に復元性付与部材２４と基部２３ａが囲われた状態で、第二係合凹部１９の切欠１９ｂを通して下方に突出する舌片部２３ｂが受け座２１ａ上に着座してボルト２８で固定される。
【００２８】
面材１１の袋状部２７が側枠杆１３の突部１３ａに被せられた状態で、袋状部２７と第二係合凹部１９の縦断面と水平断面は図１１及び図１２に示す状態になる。図１１及び図１２において、第二係合凹部１９は側枠杆１３の上端外側で第一係合凹部１８に連通しているため、第二係合凹部１９には面材１１の左右側縁部と縁部補強材２５が背面側に挿入され、その前面側には面材１１の袋状部２７が挿入されている。
しかも、この袋状部２７は第二係合凹部１９内の背面側から前面側に向けて折り曲げられた２層の面材１１の間に復元性付与部材２４が挟持され、最も前面側に縁部材２３の基部２３ａが挿入されている。そのため、第二係合凹部１９内には面材１１の袋状部２７及び面材１１の側縁部及び縁部補強材２５の二層が緊密に嵌合されている。
【００２９】
本実施形態による椅子１の背もたれ５は上述した構成を有しており、次に背もたれ５への面材１１の取付け方法について説明する。
図６（ａ）に示すように、メッシュ状の面材１１の上縁部前面の切欠部１１ａ間における左右両端部にそれぞれ縁部材２３を縫着等で取り付ける。左右の縁部材２３は互いに対称な形状と配置になる。
次に図６（ｂ）に示すように、面材１１の裏面の上縁部に帯状の復元性付与部材２４を縫製等で取り付ける。そして、面材１１の上縁部の切欠部１１ａで挟まれた部分を表面から裏面側に１回折り曲げて復元性付与部材２４を面材１１で挟み込む。そして、更に面材１１の上縁部を表面から裏面側にもう１回折り曲げて縁部材２３の基部２３ａを面材１１の内側に挟み込む(図６（ｃ）参照)。
【００３０】
そして、２回折り込まれた面材１１の上縁部について、図６（ｃ）及び（ｄ）に示すように、基部２３ａの両側を縫製で縫い込んで縫い付け部２７ａ、２７ｂで仕切られた袋状部２７を形成する。袋状部２７は下向きに開口している。また、面材１１の左右側縁部に帯状の縁部補強材２５を側縁部に沿って重ねて縫製する。これによって、図６（ｃ）及び（ｄ）に示すように、面材１１の裏面側の袋状部２７の下側に縁部材２３の舌片部２３ｂがそれぞれ突出している。また、面材１１の左右側縁部及び下縁部には縁部補強材２５が縫着等で固定される。
【００３１】
次に面材１１を背もたれ５の背フレーム１０に取り付ける。
先ず、面材１１の上縁部の左右端部に形成した袋状部２７を各側枠杆１３の上端の突部１３ａに被せて係合させ、袋状部２７の復元性付与部材２４や縁部材２３の基部２３ａを含む部分を第二係合凹部１９内に嵌合する。面材１１の袋状部２７を先に側枠杆１３の突部１３ａに被せて第二係合凹部１９に係合させることで、面材１１の縁部補強材２５を第一係合凹部１８に係合させる前段階の位置決めとすることができる。
そして、面材１１を捲り上げて、受け座２１ａ上に着座した舌片部２３ｂを視認できる状態にする。この状態から、図９（ａ）、（ｂ）及び図１０に示すように、縁部材２３の内側に設けられた舌片部２３ｂは第二係合凹部１９の底部の切欠１９ｂを通して側枠杆１３の突部１３ａの下方に突出させ、段差部２１の受け座２１ａ上に着座する。舌片部２３ｂの挿通穴２３ｃ及び受け座２１ａのネジ穴２２にボルト２８をねじ込んで固定することで、面材１１の上縁部の左右の袋状部２７を左右の側枠杆１３にそれぞれ固定できる。
【００３２】
次に、面材１１の左右側縁部とこれに重ね固定した縁部補強材２５を左右の側枠杆１３の第一係合凹部１８内に嵌合させて係合する。下縁部の縁部補強材２５も下枠杆１５の第一係合凹部１８に嵌合して係合させる。これにより、面材１１及び縁部補強材２５の上端部は第二係合凹部１９内に進入し、袋状部２７の復元性付与部材２４や縁部材２３の基部２３ａを含む部分に重ねて嵌合させる。
これにより、図１１及び図１２に示すように、第二係合凹部１９内では、面材１１及び縁部補強材２５の前面側に２度折りした面材１１に挟まれた復元性付与部材２４と面材１１の前面側に位置する縁部材２３の基部２３ａとが積層された状態になる。
【００３３】
しかも、側枠杆１３の受け座２１ａは傾斜面を有しており、突部１３ａより裏面側に凹んだ段差部２１に形成したため、ボルト２８によって舌片部２３ｂを受け座２１ａに固定しても頭部が側枠杆１３から突出することがない。また、受け座２１ａの傾斜面部に舌片部２３ｂの傾斜部が当接するため、縁部材２３の舌片部２３ｂが上方にずれることに抵抗する。また、側枠杆１３の前面の段差部２１に位置する舌片部２３ｂやボルト２８の頭部は面材１１で覆われるため、外部から目視しにくく意匠性を損なうことがない。
面材１１は左右側縁部と下縁部が側枠杆１３及び下枠杆１５に形成した第一係合凹部１８に係合させられ、上縁部の折り曲げ部１１ｂは両端の突部１３ａ及び第二係合凹部１９に係合された左右の袋状部２７の間が上枠杆１４等に固定されておらず、遊端部１１Ｂとなる。
【００３４】
そして、椅子１の使用時に、着座者が繰り返し椅子１に着座して背もたれ５に荷重を付与すると、面材１１及び復元性付与部材２４が面材１１の幅方向と上下方向に弾性変形して伸張し、荷重を除けば元の位置に復帰する。特に折り曲げ部１１ｂ内に包まれた復元性付与部材２４は面材１１よりも伸縮性が大きく設定されているため、面材１１の折り曲げ部１１ｂの伸縮性を補強して遊端部１１Ｂが経時的にヘタることを防いで元の形状と位置に復帰させる復元性と保形性を確保できる。
【００３５】
上述のように、本実施形態による椅子１によれば、面材１１の上縁部の両端に形成した袋状部２７を一対の側枠杆１３の上端の突部１３ａに被せて第二係合凹部１９に係合させると共に、面材１１の左右側縁部を第一係合凹部１８に係合した。そのため、背もたれ５の面材１１に着座者の荷重が繰り返し付与されたとしても、面材１１の主たる支持手段である第一係合凹部１８から離間する部位において、面材１１の上下方向への変位を規制できる。
また、左右の側枠杆１３に設けた第一係合凹部１８と第二係合凹部１９とが連通しているので、面材１１の上縁部左右の袋状部２７を面材１１の側縁部近傍の位置に形成することができる。したがって、面材１１を左右の側枠杆１３の突部１３ａ間及び第二係合凹部１９間の広い範囲で係合させることができる。
【００３６】
また、第二係合凹部１９に挿入して突部１３ａに係合する袋状部２７を押え込む縁部材２３を設けたため、袋状部２７の側枠杆１３からの離脱を確実に防止できる上に、面材１１の変位を容易に規制することができる。しかも、縁部材２３の舌片部２３ｂは前面側からボルト２８で側枠杆１３の受け座２１ａに固定するため、ボルト２８の取り付け作業が容易である上に、舌片部２３ｂやボルト２８等が前面の面材１１で覆われるため目立たず意匠性が良好である。
【００３７】
また、面材１１の幅方向への伸縮性より復元性付与部材２４の伸縮性を大きく設定して互いに縫製したため、繰り返し着座者の荷重が付与されると面材１１と復元性付与部材１１は共に伸張して着座者の身体への抵抗が抑止される。また、荷重が除去されると面材１１は復元性付与部材２４の補助によって初期状態へ復帰できるので、繰り返し荷重が付与されても、撓みを残さず元の形状に戻る復元性と保形性を確保できて耐久性が高い。
また、復元性付与部材２４は面材１１に縫着されるので、編物の編み目または織物の織り目等を介して糸を挿入することができて復元性付与部材２４の伸縮性が阻害されない。
【００３８】
復元性付与部材２４は面材１１の幅方向の側縁部まで延びて面材１１と共に側枠杆１３に支持されるので、面材１１における遊端部１１Ｂが側枠杆１３に対して極端に伸長して側枠杆１３との間に撓み等を生じることを防止できる。したがって、着座感をより良好にすることができる。
面材１１及び復元性付与部材２４に加えて縁部材２３が第二係合凹部１９に係合保持されるので、第二係合凹部１９に係合する部材の厚みを増大できるため、側枠杆１３による面材１１の支持がより強固になる。
復元性付与部材２４は、面材１１の上縁部を裏面側に折り曲げて形成される袋状部２７内に配設されるため、面材１１の着座面方向から視認されにくく、この点でも外観の見栄えが良い椅子１を得られる。
【００３９】
なお、本発明は上述の第一実施形態による椅子１に限定されることはなく、本発明の要旨を逸脱しない範囲で適宜の変更や置換等が可能であり、これらはいずれも本発明に含まれる。以下に、本発明の他の実施形態や変形例等について説明するが、上述した第一実施形態と同一または同様な部品や部材等には同一の符号を用いて説明を行う。
【００４０】
次に本発明の第二実施形態による椅子１について、図１３乃至図１７により説明する。
本第二実施形態では、面材１１を背フレーム１０の側枠杆１３に固定する固定構造について上述の第一実施形態と相違し、その余の構成で第一実施形態と同一である。そのため、本第二実施形態による椅子１では、面材１１の固定構造を中心に説明する。
本第二実施形態で用いる縁部材３０は図１３に示す略Ｌ字状の板状に形成されている。即ち、縁部材３０は面材１１の袋状部２７に覆われる基部３０ａと舌片部３０ｂとを有しており、基部３０ａはその長手方向(水平方向)に例えば厚肉部３０ａａと薄肉部３０ａｂとを有しているが、同一厚さでもよい。厚肉部３０ａａに略直交する舌片部３０ｂは板状の第一受け部３０ｂａと第二受け部３０ｂｂとが段差３０ｂｃを介して一体形成されている。この縁部材３０は線対称に一対形成されている。
【００４１】
縁部材３０は、図１４及び図１５に示すように、第一実施形態と同様に面材１１の上縁部の表面の左右両端部に縫製等で取り付けられ、裏面側には復元性付与部材２４が縫製等で取り付けられている。面材１１は上縁部を裏面側に２回折り曲げて形成した袋状部２７内に復元性付与部材２４と縁部材３０の基部３０ａとが包み込まれ、縁部材３０の舌片部３０ｂが面材１１の裏面側に突出している。なお、袋状部２７の両側は縫い付け部２７ａ、２７ｂによって仕切られている。
図１６（ａ）、（ｂ）に示す背フレーム１０の一方の上側角部において、面材１１の左右の側縁部及び縁部補強材２５は側枠杆１３の外側に形成された第一係合凹部１８に係合され、上縁部の左右の袋状部２７は側枠杆１３の突部１３ａ及び第二係合凹部３１に係合されている。第二係合凹部３１は側枠杆１３の上端の突部１３ａと上枠杆１４との境界に開口３１ａが形成されており、外側に対して内側の領域が拡幅されたボックス状の空間３１ｂを有している。
【００４２】
第二係合凹部３１のボックス状の空間３１ｂにおいて、その底部３１ｃには段差部３１ｃａが形成されている。また、ボックス状の空間３１ｂの内奥部の壁面にはネジ穴３３が形成されている。
側枠杆１３の突部１３ａを面材１１の袋状部２７で覆って第二係合凹部３１内に装着した状態で、袋状部２７からボックス状の空間３１ｂ内に突出する縁部材３０の舌片部３０ｂは第二係合凹部３１の底部３１ｃの段差部３１ｃａ上に段差３０ｂｃが位置決め設置される。この状態で第二係合凹部３１内に内側から押さえ部材３４を嵌合して袋状部２７を第二係合凹部３１の内壁に押圧する。
なお、図１６では、縁部材３０が単独で第二係合凹部３１に挿入されるように描かれているが、実際には面材１１の袋状部２７に復元性付与部材２４と基部３０ａが囲われた状態で、舌片部３０ｂが底部３１ｃ上に位置決めされる。
【００４３】
押さえ部材３４は図１７（ａ）、（ｂ）に示す形状を有している。即ち、押さえ部材３４は略直方体形状を有しており、前面３４ａから後面に向けてボルト３５を挿通させるテーパ状または段付きの挿通孔３７が貫通して形成されている。前面３４ａの下部には縁部材３０の舌片部３０ｂの側面に当接して縁部材３０を位置決め固定するストッパー片３８が突出して形成されている。
押さえ部材３４が舌片部３０ｂの上でボックス状の空間３１ｂ内に緊密に挿入されて位置決めされた状態で、ボルト３５を挿通孔３７に挿入して空間３１ｂの内奥部の壁面に形成したネジ穴３３に締め込み固定する。
【００４４】
この状態で、図１８に示すように、第二係合凹部３１内のボックス状の空間３１ｂ内に挿入された面材１１の袋状部２７を押さえ部材３４の側面で押圧することで、袋状部２７の上方及び側面への抜けを防止できる。しかも、押さえ部材３４のストッパー片３８によって縁部材３０の舌片部３０ｂを押さえ付けることで、縁部材３０を含む袋状部２７が第二係合凹部３１の内外方向に外れたりずれたりすることを阻止して面材１１を固定できる。
【００４５】
上述したように本第二実施形態による椅子１によれば、面材１１の袋状部２７から第二係合凹部３１のボックス状の空間３１ｂ内に突出する縁部材３０の舌片部３０ｂを、押さえ部材３４で上と側面から押さえつけて固定するため、面材１１が上下方向や内外方向にずれたり外れたりすることを防止できる。
また、押さえ部材３４を固定するボルト３５は側枠杆１３の内側面から面材１１に沿う方向に締め込むことができるので、面材１１が邪魔にならない上に目立たない。
【００４６】
なお、上述した各実施形態において、面材１１の上縁部を２度折り返してその左右両端部に袋状部２７を形成したが、本発明はこのような構成に限定されない。例えば、第一変形例として、面材１１の上縁部の表面に縁部材２３、３０を上下逆向きに取り付けて基部２３ａ、３０ａを縫製し、裏面に復元性付与部材２４を縫製した状態で裏面側に１回折り曲げて、左右両側に縫い付け部２７ａ、２７ｂを形成することで袋状部２７を形成してもよい。
【００４７】
また、第二変形例として、面材１１の上縁部を折り込むことなく、裏面に縁部材２３、３０を、表面に復元性付与部材２４を縫着し、裏面の縁部材２３、３０を挟んで例えば伸縮可能なメッシュ状の布材等の別の伸縮性部材を重ねて縫製等して、縁部材２３、３０の基部２３ａ、３０ａの両側に縫い付け部２７ａ、２７ｂを縫着することで袋状部２７を形成してもよい。
袋状部２７は上述したいずれの構成を採用してもよく、面材１１の上縁部の左右端部を二重に重ねて側枠杆１３の突部１３ａに上から被せる袋状に形成できればよい。或いは、袋状部２７を形成せず、面材１１の上縁部に復元性付与部材２４を直接逢着等してもよく、これを突部１３ａに挟んで第二係合凹部１９側に折り曲げる等して配設してもよい。
また、上述した各実施形態では、面材１１の上縁部の表裏面に縁部材２３、３０と復元性付与部材２４を個別に取り付けたが、同一の面に重ねて縫着等してもよい。
【００４８】
なお、上述した各実施形態において、側枠杆１３は杆材に含まれる。
また、第一実施形態における縁部材２３は、舌片部２３ｂを側枠杆１３の受け座２１ａにボルト２８で固定しているため、面材１１の押さえ手段を兼ねている。第二実施形態における縁部材３０及び押さえ部材３４は面材１１の押さえ手段に含まれる。
面材１１の第一係合凹部１８に係合する側縁部（及び縁部補強材２５）は第一方向縁部に含まれ、第二係合凹部１９に係合する上縁部は第二方向縁部に含まれる。
【００４９】
なお、上述した各実施形態による椅子１では、面材１１の折り曲げ部１１ｂにおける両端の袋状部２７に挟まれた遊端部１１Ｂ(自由端部)を上縁部に形成し、左右側縁部と下縁部を第一係合凹部１８で係合固定したが、遊端部１１Ｂの設置位置は面材１１の上縁部に限定されない。側縁部や下縁部等、適宜の方向に設けることができる。
また、上述した各実施形態では、椅子１用の荷重支持部材として、背もたれ５における背フレーム１０と面材１１について説明したが、本発明は背もたれ５に限定されるものではなく、上述したように座４のフレームとその面材８にも適用できる。更に椅子１に設置可能なヘッドレスト等にも本発明の荷重支持部材を適用することができる。
また、椅子１以外の面材１１及び杆材、例えば車両の網棚や防虫ネット等についても本発明の荷重支持部材を適用できる。
【符号の説明】
【００５０】
１  椅子
５  背もたれ
１０  背フレーム
１１  面材
１１Ｂ  遊端部
１３  側枠杆
１３ａ  突部
１８  第一係合凹部
１９、３１  第二係合凹部
１９ａ、３１ａ  開口
２３、３０  縁部材
２３ａ、３０ａ  基部
２３ｂ、３０ｂ  舌片部
２４  復元性付与部材
２５  縁部補強材
２７  袋状部
２７ａ、２７ｂ  縫い付け部
２８、３５  ボルト
３４  押さえ部材
【図１】
2020069338.tif 000003
【図２】
2020069338.tif 000004
【図３】
2020069338.tif 000005
【図４】
2020069338.tif 000006
【図５】
2020069338.tif 000007
【図６】
2020069338.tif 000008
【図７】
2020069338.tif 000009
【図８】
2020069338.tif 000010
【図９】
2020069338.tif 000011
【図１０】
2020069338.tif 000012
【図１１】
2020069338.tif 000013
【図１２】
2020069338.tif 000014
【図１３】
2020069338.tif 000015
【図１４】
2020069338.tif 000016
【図１５】
2020069338.tif 000017
【図１６】
2020069338.tif 000018
【図１７】
2020069338.tif 000019
【図１８】
2020069338.tif 000020